(57)【要約】【課題】交換レンズ内の記憶手段が破壊される可能性を低減させつつ、電力供給再開時に、交換レンズ内の状態を電力供給停止前と同様の状態に戻すことを目的とする。【解決手段】カメラボディと交換レンズとからなるカメラシステムであって、交換レンズは、光軸に沿って移動するレンズと、レンズの状態を検出する検出手段と、検出手段により検出された状態に関する状態情報をカメラボディに通知するレンズ側通知手段等とを備え、カメラボディは、交換レンズに電力を供給する供給手段と、供給手段による電力の供給を停止させる停止手段と、停止手段により電力の供給を停止する旨の電力停止予告コマンドを交換レンズに対して通知するコマンド通知手段と、情報を記憶する記憶手段等とを備え、レンズ側制御手段とボディ側制御手段とは、交換レンズとカメラボディに対して所定の制御する。【選択図】図１
2011149971.tif 000002
【特許請求の範囲】
【請求項１】
カメラボディと交換レンズとからなるカメラシステムであって、
前記交換レンズは、
光軸に沿って移動するレンズと、
前記レンズを駆動する駆動手段と、
前記レンズの状態を検出する検出手段と、
前記検出手段により検出された前記状態に関する状態情報を前記カメラボディに通知するレンズ側通知手段と、
該交換レンズを制御するレンズ側制御手段と、を備え、
前記カメラボディは、
前記交換レンズに電力を供給する供給手段と、
前記供給手段による電力の供給を停止させる停止手段と、
前記停止手段により電力の供給を停止する旨の電力停止予告コマンドを前記交換レンズに対して通知するコマンド通知手段と、
情報を記憶する記憶手段と、
該カメラボディを制御するボディ側制御手段と、を備え、
前記レンズ側制御手段は、前記コマンド通知手段から電力停止予告コマンドを取得するのに応じて、前記レンズの状態を検出するよう前記検出手段を制御し、前記検出した状態に関する状態情報を前記カメラボディに通知するよう前記レンズ側通知手段を制御し、
前記ボディ側制御手段は、前記レンズ側通知手段から状態情報を取得するのに応じて、前記取得した状態情報を記憶するよう前記記憶手段を制御し、その後、前記交換レンズに対する電力の供給を停止するよう前記停止手段を制御する、
カメラシステム。
【請求項２】
前記レンズ側制御手段は、前記レンズの状態を検出するよう前記検出手段を制御した後に、前記レンズを所定の位置に移動するよう前記駆動手段を制御する、
請求項１に記載のカメラシステム。
【請求項３】
前記状態情報は、前記レンズの位置に関する情報である、
請求項１又は２に記載のカメラシステム。
【請求項４】
前記状態情報は、前記レンズが直前に移動した際の移動方向に関する情報である、
請求項１〜３に記載のカメラシステム。
【請求項５】
前記カメラボディは、
前記供給手段による電力の供給の後に、前記記憶手段に記憶されている状態情報を前記交換レンズに通知するボディ側通知手段をさらに備え、
前記レンズ側制御手段は、前記ボディ側通知手段から状態情報を取得するのに応じて、前記レンズを駆動させるよう前記駆動手段を制御する、
請求項１〜４に記載のカメラシステム。
【請求項６】
前記カメラボディは、
装着されている交換レンズが前記記憶手段に記憶されている状態情報を取得した際に装着されていた交換レンズと同一であるか否かを判定する判定手段をさらに備え、
前記ボディ側通知手段は、前記判定手段による判定結果に応じて、前記状態情報を前記交換レンズに対して通知するか否かを切り替える、
請求項１〜５に記載のカメラシステム。
【発明の詳細な説明】
【技術分野】
【０００１】
本発明は、カメラシステムに関し、特に交換レンズとカメラボディとからなるカメラシステムに関する。
【背景技術】
【０００２】
特許文献１は、レンズユニットとカメラ本体とからなるレンズユニット交換可能なビデオカメラを開示する。このビデオカメラが有するレンズユニットは、記憶装置を有する。この記憶装置は、レンズユニットが有する変倍レンズや補正レンズの位置情報を記憶する。このビデオカメラは、電源遮断後、再投入した際に、記憶装置に記憶した位置情報を参照することにより、変倍レンズと補正レンズとの位置を電源遮断前と同一の状態に戻す。
【０００３】
これにより、特許文献１に開示されるビデオカメラは、電源遮断後、再投入した場合であっても、電源遮断前のレンズユニット内の状態を再現することができる。
【特許文献１】特開平９−６５１８６号公報
【発明の開示】
【発明が解決しようとする課題】
【０００４】
しかしながら、上記特許文献１が開示するビデオカメラにおいて、レンズユニットは、位置情報をレンズユニットが有する記憶装置に記憶する。また、レンズユニットの駆動のための電源は、カメラ本体から供給されている。このような場合において、レンズマイコンがレンズの位置情報を記憶装置に書き込んでいる際に、レンズユニットがカメラ本体から外されてしまうと、記憶装置内の記憶領域の一部が破損する恐れがある。
【０００５】
本発明は、交換レンズ内の記憶手段内の記憶領域が破損する可能性を低減しつつ、電力供給再開時に、交換レンズ内の状態を電力供給停止前と同様の状態に戻すことができるカメラシステムを提供することを目的とする。
【課題を解決するための手段】
【０００６】
上記課題を解決するために、本発明にかかるカメラシステムは、カメラボディと交換レンズとからなるカメラシステムであって、交換レンズは、光軸に沿って移動するレンズと、レンズを駆動する駆動手段と、レンズの状態を検出する検出手段と、検出手段により検出された状態に関する状態情報をカメラボディに通知するレンズ側通知手段と、交換レンズを制御するレンズ側制御手段と、を備え、カメラボディは、交換レンズに電力を供給する供給手段と、供給手段による電力の供給を停止させる停止手段と、停止手段により電力の供給を停止する旨の電力停止予告コマンドを交換レンズに対して通知するコマンド通知手段と、情報を記憶する記憶手段と、カメラボディを制御するボディ側制御手段と、を備え、レンズ側制御手段は、コマンド通知手段から電力停止予告コマンドを取得するのに応じて、レンズの状態を検出するよう検出手段を制御し、検出した状態に関する状態情報をカメラボディに通知するようレンズ側通知手段を制御し、ボディ側制御手段は、レンズ側通知手段から状態情報を取得するのに応じて、取得した状態情報を記憶するよう記憶手段を制御し、その後、交換レンズに対する電力の供給を停止するよう停止手段を制御する。
【０００７】
これにより、交換レンズへの電力の供給が停止された後においても、カメラボディは、電力の供給が停止される前のレンズの位置に関する情報等を保持することができる。その結果、電力の供給が再開された際に、電力の供給が停止される前の状態に交換レンズを戻すことができる。
【０００８】
また、本発明にかかるカメラシステムにおいて、レンズ側制御手段は、レンズの状態を検出するよう検出手段を制御した後に、レンズを所定の位置に移動するよう駆動手段を制御するようにしてもよい。
【０００９】
また、本発明にかかるカメラシステムにおいて、状態情報は、レンズの位置に関する情報であるとしてもよい。
【００１０】
これにより、本発明にかかるカメラシステムは、電力供給再開後、レンズの位置について電力供給停止前と同一の状態へと戻すことができる。
【００１１】
また、本発明にかかるカメラシステムにおいて、状態情報は、レンズが直前に移動した際の移動方向に関する情報であるとしてもよい。
【００１２】
これにより、本発明にかかるカメラシステムは、電力供給再開後、ヒステリシスについても電力供給停止前と同一の状態へと戻すことができる。
【００１３】
また、本発明にかかるカメラシステムにおいて、カメラボディは、供給手段による電力の供給の後に、記憶手段に記憶されている状態情報を交換レンズに通知するボディ側通知手段をさらに備え、レンズ側制御手段は、ボディ側通知手段から状態情報を取得するのに応じて、レンズを駆動させるよう駆動手段を制御するようにしてもよい。
【００１４】
これにより、本発明にかかるカメラシステムは、電力の供給が再開された際に、電力の供給が停止される前の状態に交換レンズを戻すことができる。
【００１５】
また、本発明にかかるカメラシステムにおいて、カメラボディは、装着されている交換レンズが記憶手段に記憶されている状態情報を取得した際に装着されていた交換レンズと同一であるか否かを判定する判定手段をさらに備え、ボディ側通知手段は、判定手段による判定結果に応じて、状態情報を交換レンズに対して通知するか否かを切り替えるようにしてもよい。
【００１６】
これにより、本発明にかかるカメラシステムは、電力供給の停止前に装着されていた交換レンズと異なる交換レンズが装着されている場合には、交換レンズ内の各種レンズを自動的に移動させることはない。その結果、本発明にかかるカメラシステムは、交換レンズごとに交換レンズ内の各種状態を管理することができる。
【発明の効果】
【００１７】
これにより、本発明は、交換レンズ内の記憶手段内の記憶領域が破損する可能性を低減しつつ、電力供給再開時に、交換レンズ内の状態を電力供給停止前と同様の状態に戻すことができるカメラシステムを提供することができる。
【発明を実施するための最良の形態】
【００１８】
〔１．実施の形態１〕
〔１−１．構成〕
〔１−１−１．概要〕
図１は、本発明の実施の形態１に係るカメラシステム１の構成を示すブロック図である。カメラシステム１は、カメラボディ１００とそれに着脱可能な交換レンズ２００とから構成される。本発明は、レンズ交換式のカメラシステムに関する発明であり、特に、カメラシステム全体若しくは交換レンズの電源をＯＦＦにした後、再度電源をＯＮにした場合に、交換レンズ内の各種状態を電源をＯＦＦにする前と同一の状態に戻すためになされた発明である。
【００１９】
〔１−１−２．カメラボディの構成〕
カメラボディ１００は、ＣＣＤイメージセンサー１１０と液晶モニタ１２０とカメラコントローラー１４０とボディマウント１５０と電源１６０とカードスロット１７０とを備える。
【００２０】
カメラコントローラー１４０は、レリーズ釦１３０等の操作部材からの指示に応じて、ＣＣＤイメージセンサー１１０等のカメラシステム１全体を制御する。カメラコントローラー１４０は、垂直同期信号をタイミング発生器１１２に送信する。また、カメラコントローラー１４０は、制御動作や画像処理動作の際に、ＤＲＡＭ１４１をワークメモリとして使用する。また、フラッシュメモリ１４２は、カメラコントローラー１４０の制御の際に使用するプログラムやパラメータを保存する。
【００２１】
ＣＣＤイメージセンサー１１０は、交換レンズ２００を介して入射される被写体像を撮像して画像データを生成する。生成された画像データは、ＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理などの画像圧縮処理等である。
【００２２】
ＣＣＤイメージセンサー１１０は、タイミング発生器１１２で制御されるタイミングで動作する。ＣＣＤイメージセンサー１１０の動作としては、静止画像の撮像動作、動画像の撮像動作、スルー画像の撮像動作等である。ここで、動画像の撮像動作を行う際には、ＣＣＤイメージセンサー１１０は、フレームレート選択ダイヤル１３１により選択されたフレームレートに合うタイミングで動作する。要するに、フレームレート選択ダイヤル１３１は、ＣＣＤイメージセンサー１１０が被写体像を撮像する撮像周期に関する指示を受け付ける。また、スルー画像とは、撮像後、メモリーカード１７１に記録しない画像である。スルー画像は、主に動画像であり、静止画像の撮像のための構図を決めるために液晶モニタ１２０に表示されるものである。
【００２３】
液晶モニタ１２０は、カメラコントローラー１４０で画像処理された表示用画像データが示す画像を表示する。液晶モニタ１２０は、動画像も静止画像も選択的に表示可能である。
【００２４】
カードスロット１７０は、メモリーカード１７１を装着可能である。カードスロット１７０は、カメラコントローラー１４０からの制御に基づいて、メモリーカード１７１を制御する。メモリーカード１７１は、カメラコントローラー１４０の画像処理により生成された画像データを格納可能である。例えば、メモリーカード１７１は、ＪＰＥＧ画像ファイルを格納できる。また、メモリーカード１７１は、内部に格納する画像データ又は画像ファイルを出力できる。メモリーカード１７１から出力された画像データ又は画像ファイルは、カメラコントローラー１４０で画像処理される。例えば、カメラコントローラー１４０は、メモリーカード１７１から取得した画像データ又は画像ファイルを伸張して表示用画像データを生成する。
【００２５】
電源１６０は、カメラシステム１で消費するための電力を供給する。電源１６０は、例えば、乾電池であってもよいし、充電池であってもよい。また、電源コードにより外部から供給される電力をカメラシステム１に供給するものであってもよい。
【００２６】
ボディマウント１５０は、交換レンズ２００のレンズマウント２５０と機械的及び電気的に接続可能である。ボディマウント１５０は、レンズマウント２５０を介して、交換レンズ２００との間で、コマンドやデータを送受信可能である。ボディマウント１５０は、カメラコントローラー１４０から受信した種々の制御信号をレンズマウント２５０を介してレンズコントローラー２４０に送信する。また、ボディマウント１５０は、電源１６０から受けた電力をレンズマウント２５０を介して交換レンズ２００全体に供給する。
【００２７】
〔１−１−３．交換レンズの構成〕
交換レンズ２００は、光学系とレンズコントローラー２４０とレンズマウント２５０とを備える。交換レンズ２００の光学系は、ズームレンズ２１０、ＯＩＳレンズ２２０、絞り２６０、フォーカスレンズ２３０を含む。
【００２８】
ズームレンズ２１０は、交換レンズ２００の光学系で形成される被写体像の倍率を変化させるためのレンズである。ズームレンズ２１０は、１枚又は複数枚のレンズで構成される。駆動機構２１１は、使用者が操作可能なズームリング等を含み、使用者による操作をズームレンズ２１０に伝え、ズームレンズ２１０を光学系の光軸方向に沿って移動させる。検出器２１２は、駆動機構２１１における駆動量を検出する。レンズコントローラー２４０は、この検出器２１２における検出結果を取得することにより、光学系におけるズーム倍率を把握することができる。
【００２９】
ＯＩＳレンズ２２０は、交換レンズ２００の光学系で形成される被写体像のぶれを補正するためのレンズである。ＯＩＳレンズ２２０は、カメラシステム１のぶれを相殺する方向に移動することにより、ＣＣＤイメージセンサー１１０上の被写体像のぶれを小さくする。ＯＩＳレンズ２２０は、１枚又は複数枚のレンズで構成される。アクチュエータ２２１は、ＯＩＳ用ＩＣ２２３からの制御を受けて、光学系の光軸に垂直な面内でＯＩＳレンズ２２０を駆動する。アクチュエータ２２１は、例えば、マグネットと平板コイルとで実現可能である。位置検出センサー２２２は、光学系の光軸に垂直な面内におけるＯＩＳレンズ２２０の位置を検出するセンサーである。位置検出センサー２２２は、例えば、マグネットとホール素子で実現可能である。ＯＩＳ用ＩＣ２２３は、位置検出センサー２２２の検出結果及びジャイロセンサーなどのぶれ検出器の検出結果に基づいて、アクチュエータ２２１を制御する。ＯＩＳ用ＩＣ２２３は、レンズコントローラー２４０からぶれ検出器の検出結果を得る。また、ＯＩＳ用ＩＣ２２３は、レンズコントローラー２４０に対して、光学的像ぶれ補正処理の状態を示す信号を送信する。
【００３０】
絞り２６０は、光学系を通過する光の量を調整するための部材である。絞り２６０は、例えば、複数の絞り羽根からなり、羽根で構成する開口部を開閉することにより、光量を調整可能である。絞りモータ２６１は、絞り２６０の開口部を開閉するための駆動手段である。
【００３１】
フォーカスレンズ２３０は、光学系でＣＣＤイメージセンサー１１０上に形成される被写体像のフォーカス状態を変化させるためのレンズである。フォーカスレンズ２３０は、１枚又は複数枚のレンズで構成される。
【００３２】
フォーカスモータ２３３は、レンズコントローラー２４０の制御に基づいて、フォーカスレンズ２３０が光学系の光軸に沿って進退するよう駆動する。これにより、光学系でＣＣＤイメージセンサー１１０上に形成される被写体像のフォーカス状態を変化させることができる。フォーカスモータ２３３は、本実施の形態１では、ステッピングモータを用いる。但し、本発明は、これに限定されない。例えば、サーボモータ、超音波モータなどによっても実現できる。
【００３３】
レンズコントローラー２４０は、カメラコントローラー１４０からの制御信号に基づいて、ＯＩＳ用ＩＣ２２３やフォーカスモータ２３３などの交換レンズ２００全体を制御する。また、レンズコントローラー２４０は、検出器２１２、ＯＩＳ用ＩＣ２２３などから信号を受信して、カメラコントローラー１４０に送信する。レンズコントローラー２４０は、カメラコントローラー１４０との送受信の際には、レンズマウント２５０及びボディマウント１５０を介して行う。
【００３４】
レンズコントローラー２４０は、制御の際、ＳＲＡＭ２４１をワークメモリとして使用する。また、フラッシュメモリ２４２は、レンズコントローラー２４０の制御の際に使用するプログラムやパラメータを保存する。
【００３５】
〔１−１−４．本発明との対応関係〕
カメラシステム１は、本発明のカメラシステムの一例である。カメラボディ１００は、本発明のカメラボディの一例である。交換レンズ２００は、本発明の交換レンズの一例である。
【００３６】
ズームレンズ２１０又はフォーカスレンズ２３０は、本発明のレンズの一例である。駆動機構２１１又はフォーカスモータ２３３は、本発明の駆動手段の一例である。検出器２１２、又はフォーカスモータ２３３とカウンタ２４３とからなる構成は、本発明の検出手段の一例である。レンズマウント２５０とレンズコントローラー２４０とからなる構成は、本発明のレンズ側通知手段の一例である。レンズコントローラー２４０は、本発明のレンズ側制御手段の一例である。
【００３７】
電源１６０は、本発明の供給手段の一例である。カメラコントローラー１４０は、本発明の停止手段の一例である。カメラコントローラー１４０とボディマウント１５０とからなる構成は、本発明のコマンド通知手段の一例である。ＤＲＡＭ１４１又はメモリーカード１７１は、本発明の記憶手段の一例である。カメラコントローラー１４０は、本発明のボディ側制御手段の一例である。カメラコントローラー１４０とボディマウント１５０とからなる構成は、本発明のボディ側通知手段の一例である。カメラコントローラー１４０は、本発明の判定手段の一例である。
【００３８】
〔１−２．動作〕
本実施の形態にかかるカメラシステム１の動作の一例を図１〜図３を用いて説明する。
【００３９】
〔１−２−１．通常モードとパワーセーブモード〕
本実施の形態にかかるカメラシステム１は、通常モードとパワーセーブモードとで動作する。
【００４０】
ここで、通常モードとは、カメラボディ１００と交換レンズ２００との両方に電力が供給されている状態である。例えば、カメラシステム１によって被写体像の撮像を行う場合などにおいて、カメラシステム１は通常モードで動作している。
【００４１】
また、パワーセーブモードとは、カメラボディ１００には電力が部分的に供給されているが、交換レンズ２００には電力が供給されていない状態である。例えば、通常モードに設定されているカメラシステム１を一定時間以上の間、何も操作せずに放置しておくと、自動的に通常モードからパワーセーブモードに移行する。このように、使用者がカメラシステム１を操作しない場合には、交換レンズ２００の電源は自動的にＯＦＦされる。その結果、カメラシステム１は、節電を行うことができる。
【００４２】
また、パワーセーブモードに設定されているカメラシステム１が使用者によって操作されると、カメラシステム１は、パワーセーブモードから通常モードへと移行する。このように、使用者がカメラシステム１を操作した場合には、すぐに通常モードへと移行する。その結果、カメラシステム１は、節電を行いつつも、必要な場合にはすぐに撮像準備動作に移行することができる。
【００４３】
〔１−２−２。通常モードからパワーセーブモードへの移行〕
通常モードからパワーセーブへの移行について図２を用いて説明する。通常モードに設定されているカメラシステム１が一定時間以上の間、使用者によって操作されないと、カメラシステム１は、通常モードからパワーセーブモードへと移行する。その際、カメラコントローラー１４０は、交換レンズ２００に対して、電力停止予告コマンドを送信する（Ｓ１００）。ここで、電力停止予告コマンドとは、カメラボディ１００から交換レンズ２００への電力供給を停止するためのコマンドである。
【００４４】
電力停止予告コマンドを受信すると（Ｓ１１０）、レンズコントローラー２４０は、ズームレンズ２１０の位置と、フォーカスレンズ２３０の位置と、ズームレンズ２１０とフォーカスレンズ２３０との直前の駆動方向に関する情報とを検出する（Ｓ１２０）。レンズコントローラー２４０は、検出した情報を一時的にＳＲＡＭ２４１へと格納する。これら交換レンズ２００の状態情報を検出すると、レンズコントローラー２４０は、フォーカスレンズ２３０を原点位置へと移動する（Ｓ１３０）。ここで、原点位置とは、予め定めておいたフォーカスレンズ２３０の基準点である。フォーカスレンズ２３０を原点位置へと移動すると、レンズコントローラー２４０は、ＳＲＡＭ２４１に格納された状態情報をカメラボディ１００に対して送信する（Ｓ１４０）。
【００４５】
レンズコントローラー２４０から状態情報を受信すると（Ｓ１５０）、カメラコントローラー１４０は、受信した状態情報をフラッシュメモリ１４２へと記録する（Ｓ１６０）。状態情報を記録すると、カメラコントローラー１４０は、交換レンズ２００に対しての電源供給を停止する（Ｓ１７０）。
【００４６】
このように、本実施の形態にかかるカメラシステム１は、パワーセーブモードに移行する際に、ズームレンズ２１０とフォーカスレンズ２３０の位置に関する情報等をカメラボディ１００内のフラッシュメモリ１４２に格納する構成とした。これにより、交換レンズ２００の電源がＯＦＦされた後においても、電源がＯＦＦされる前のズームレンズ２１０とフォーカスレンズ２３０との位置に関する情報等を保持することができる。その結果、再度電源がＯＮされた際に、電源がＯＦＦされる前の状態に交換レンズ２００を戻すことができる。
【００４７】
また、本実施の形態にかかるカメラシステム１は、パワーセーブモードに移行する際に、フォーカスレンズ２３０を原点位置へと移動する構成とした。これは、本実施の形態において、フォーカスモータ２３３は、ステッピングモータで構成されるからである。本実施の形態において、ステッピングモータを用いているため、レンズコントローラー２４０は、フォーカスレンズ２３０の相対的な移動量を検出することはできるが、フォーカスレンズ２３０の絶対的な位置を検出することはできない。従って、交換レンズ２００の電源をＯＦＦにする度にフォーカスレンズ２３０を原点位置移動することにより、フォーカスレンズ２３０の位置を認識可能にしているのである。
【００４８】
また、本実施の形態にかかるカメラシステム１は、交換レンズ２００の状態情報を交換レンズ２００内には記憶せず、カメラボディ１００内に記憶する。この理由について以下に述べる。カメラシステム１のようなレンズ交換式のカメラシステムにおいて、交換レンズ２００は、電源を持たず、カメラボディ１００から電力の供給を受けて動作している。また、レンズ交換式のカメラシステムにおいて、交換レンズ２００は、いつカメラボディ１００から外されるか分からない。このような状況においては、交換レンズ２００が自らの状態情報を交換レンズ２００内のフラッシュメモリ２４２に書き込んでいる際に、交換レンズ２００がカメラボディ１００から外されてしまうような場合も考えられる。交換レンズ２００が状態情報を交換レンズ２００内のフラッシュメモリ２４２に書き込んでいる際に、交換レンズ２００に対するカメラボディ１００からの電源供給が停止されると、交換レンズ２００内の状態情報及びフラッシュメモリ２４２が破壊されてしまう恐れがある。フラッシュメモリ２４２が破壊されてしまうと、フラッシュメモリ２４２が格納している種々の情報も破壊されてしまい、交換レンズ２００そのものが復帰できなくなる場合も考えられる。従って、本実施の形態にかかるカメラシステム１においては、交換レンズ２００の状態情報を交換レンズ２００内のフラッシュメモリ２４２に記憶せず、カメラボディ１００内のフラッシュメモリ１４２に記憶する構成とした。
【００４９】
〔１−２−３．パワーセーブモードから通常モードへの移行〕
パワーセーブモードから通常モードへの移行について図３を用いて説明する。パワーセーブモードに設定されているカメラシステム１が使用者によって操作されると、カメラコントローラー１４０は、交換レンズ２００に対して電力の供給を再開し、初期化コマンドを送信する（Ｓ２００）。ここで、初期化コマンドとは、交換レンズ２００に対して、ズームレンズ２１０の位置や、フォーカスレンズ２３０の位置などの状態情報の送信を促すコマンドである。
【００５０】
初期化コマンドを受信すると（Ｓ２１０）、レンズコントローラー２４０は、レンズコントローラー２４０自体の初期化や、フォーカスレンズ２３０の原点検出や、絞り２６０の原点検出を行う（Ｓ２２０）。それらの検出を行うと、レンズコントローラー２４０は、カメラボディ１００に対して、検出した情報と初期化完了情報とを送信する（Ｓ２３０）。
【００５１】
初期化完了情報を受信すると（Ｓ２４０）、カメラコントローラー１４０は、交換レンズ２００に対して、レンズ識別コマンドを送信する（Ｓ２５０）。ここで、レンズ識別コマンドとは、交換レンズ２００に対して、交換レンズが個別に有する識別情報の送信を促すコマンドである。例えば、レンズＩＤやシリアルナンバーなどが識別情報に該当する。
【００５２】
レンズ識別コマンドを受信すると（Ｓ２６０）、レンズコントローラー２４０は、カメラボディ１００に対して、自らのレンズＩＤやシリアルナンバー等を送信する（Ｓ２７０）。
【００５３】
レンズＩＤやシリアルナンバー等を受信すると（Ｓ２８０）、カメラコントローラー１４０は、現在装着されている交換レンズがパワーセーブモードに移行する以前に装着されていた交換レンズと同一のレンズであるか否かを判断する（Ｓ２９０）。
【００５４】
同一の交換レンズではないと判断すると、カメラコントローラー１４０は、そのまま通常モードに移行し、撮影準備に入る（Ｓ３００）。
【００５５】
一方、同一の交換レンズであると判断すると、カメラコントローラー１４０は、フラッシュメモリ１４２に格納しているパワーセーブモード移行前の交換レンズ２００の各種状態情報と状態復帰コマンドとを交換レンズ２００に対して送信する（Ｓ３１０）。
【００５６】
状態復帰コマンドを受信すると（Ｓ３２０）、レンズコントローラー２４０は、受信した状態情報に基づいて、パワーセーブモードに移行する前と同一の状態に戻すために、駆動機構２１１とフォーカスモータ２３３とを駆動する（Ｓ３３０）。パワーセーブモードに移行する前と同一の状態に戻した後に、レンズコントローラー２４０は、カメラボディ１００に対して、交換レンズ内の状態をパワーセーブモード移行前と同一の状態に戻した旨の復帰完了情報を送信する（Ｓ３４０）。カメラボディ１００が復帰完了情報を取得した後に（Ｓ３５０）、カメラシステム１は通常モードへと移行し、撮影準備に入る（Ｓ３６０）。
【００５７】
このように、本実施の形態にかかるカメラシステム１において、パワーセーブモードから通常モードに移行する場合には、交換レンズ内の各種状態をパワーセーブモード移行前と同一の状態に戻す構成とした。これにより、電力の供給が再開された際に、電力の供給が停止される前の状態に交換レンズを戻すことができる。
【００５８】
また、本実施の形態にかかるカメラシステム１において、パワーセーブモードから通常モードに移行する場合には、パワーセーブモード移行前と同一の交換レンズが装着されている場合のみ、交換レンズ内の各種状態をパワーセーブモード移行前と同一の状態に戻す構成とした。これにより、パワーセーブモード移行前に装着されていた交換レンズと異なる交換レンズが装着されている場合には、交換レンズ内の各種レンズを自動的に移動させることはない。その結果、カメラシステム１は、交換レンズごとに交換レンズ内の各種状態（フォーカスレンズ位置やズームレンズ位置など）を管理することができる。
【００５９】
また、本実施の形態において、カメラシステム１は、パワーセーブモードから通常モードへと移行する際に、ズームレンズ２１０とフォーカスレンズ２３０との位置のみならず、ズームレンズ２１０とフォーカスレンズ２３０との駆動方向についてもパワーセーブモードへの移行前と同一の状態に戻すこととした。これは、ズームレンズ２１０とフォーカスレンズ２３０とを有する交換レンズ２００は、ヒステリシスを有する構成であるためである。本実施の形態のようにズームレンズ２１０とフォーカスレンズ２３０との駆動方向もパワーセーブモードへの移行前と同一の状態に戻すことにより、カメラシステム１は、ヒステリシスについても解消した状態で、パワーセーブモードへの移行前と同一の状態へと移行することができる。
【００６０】
また、本実施の形態にかかるカメラシステム１は、フォーカスレンズ２３０の位置情報のみならず、ズームレンズ２１０の位置情報についてもカメラボディ１００内に記憶する構成とした。この理由について以下に述べる。ズームレンズ２１０の駆動は、ズームリングによって手動で行われる。従って、使用者は、交換レンズ２００への電力供給が絶たれている場合であってもズームレンズ２１０を駆動させることができる。このような場合に、パワーセーブモードに移行している際に、ズームレンズ２１０が駆動されると、再度通常モードに移行した場合にカメラシステム１がとらえる被写体のフォーカス状態は変わってしまう。そこで、本実施の形態にかかるカメラシステム１は、通常モードからパワーセーブモードに移行する際に、ズームレンズ２１０の位置を取得する。さらに、カメラシステム１は、予め、図４に示すようなズームレンズ２１０の位置とフォーカスレンズ２３０の位置との関係に関する情報をフラッシュメモリ２４２に保持している。従って、カメラシステム１がパワーセーブモードで駆動している場合において、ズームレンズ２１０が駆動された場合において、再度通常モードへ移行された際に、パワーセーブモードへの移行前と同一のフォーカス状態となるようフォーカスレンズ２３０を駆動することができる。例えば、パワーセーブモードへの移行前にＸ１にあったズームレンズがパワーセーブモード移行後にＸ２に移動したとする。この場合に、カメラシステム１がパワーセーブモードから通常モードへと移行する場合には、フォーカスレンズ２３０をパワーセーブモード移行前のＹ１ではなく、Ｙ２へと移動させる。これにより、パワーセーブモード移行前と同様のフォーカス状態を再現する位置にフォーカスレンズ２３０を移動させることができる。
【００６１】
〔１−３．本実施の形態のまとめ〕
本実施の形態にかかるカメラシステム１は、カメラボディ１００と交換レンズ２００とからなるカメラシステムであって、交換レンズ２００は、光軸に沿って移動するズームレンズ２１０又は／及びフォーカスレンズ２３０と、ズームレンズ２１０又は／及びフォーカスレンズ２３０を駆動する駆動機構２１１又は／及びフォーカスモータ２３３と、ズームレンズ２１０又は／及びフォーカスレンズ２３０の状態を検出する検出器２１２又は／及びレンズコントローラー２４０とカウンタ２４３とからなる構成と、検出器２１２又は／及びレンズコントローラー２４０とカウンタ２４３とからなる構成により検出された状態に関する状態情報をカメラボディ１００に通知するレンズマウント２５０と、交換レンズ２００を制御するレンズコントローラー２４０と、を備え、カメラボディ１００は、交換レンズ２００に電力を供給する電源１６０と、電源１６０による電力の供給を停止させるカメラコントローラー１４０と、カメラコントローラー１４０により電力の供給を停止する旨の電力停止予告コマンドを交換レンズ２００に対して通知するボディマウント１５０と、情報を記憶するＤＲＡＭ１４１又はフラッシュメモリ１４２と、カメラボディ１００を制御するカメラコントローラー１４０と、を備え、レンズコントローラー２４０は、ボディマウント１５０から電力停止予告コマンドを取得するのに応じて、ズームレンズ２１０又は／及びフォーカスレンズ２３０の状態を検出するよう駆動機構２１１又は／及びレンズコントローラー２４０とカウンタ２４３とからなる構成を制御し、検出した状態に関する状態情報をカメラボディ１００に通知するようレンズマウント２５０を制御し、カメラコントローラー１４０は、レンズコントローラー２４０から状態情報を取得するのに応じて、取得した状態情報を記憶するようＤＲＡＭ１４１又はフラッシュメモリ１４２を制御し、その後、交換レンズ２００に対する電力の供給を停止するようカメラコントローラー１４０を制御する。
【００６２】
これにより、交換レンズ２００の電源がＯＦＦされた後においても、カメラボディ１００は、電源がＯＦＦされる前のズームレンズ２１０とフォーカスレンズ２３０との位置に関する情報等を保持することができる。その結果、再度電源がＯＮされた際に、電源がＯＦＦされる前の状態に交換レンズ２００を戻すことができる。
【００６３】
また、本実施の形態にかかるカメラシステム１において、レンズコントローラー２４０は、ズームレンズ２１０又はフォーカスレンズ２３０の状態を検出するよう検出器２１２又は／及びレンズコントローラー２４０とカウンタ２４３とからなる構成を制御した後に、ズームレンズ２１０又は／及びフォーカスレンズ２３０を所定の位置に移動するよう駆動機構２１１又は／及びフォーカスモータ２３３を制御する。
【００６４】
また、本実施の形態にかかるカメラシステム１において、状態情報は、ズームレンズ２１０又は／及びフォーカスレンズ２３０の位置に関する情報である。
【００６５】
これにより、本実施の形態にかかるカメラシステム１は、電力供給再開後、ズームレンズ２１０又は／及びフォーカスレンズレンズ２３０の位置について電力供給停止前と同一の状態へと戻すことができる。
【００６６】
また、本実施の形態にかかるカメラシステム１において、状態情報は、ズームレンズ２１０又は／及びフォーカスレンズ２３０が直前に移動した際の移動方向に関する情報である。
【００６７】
これにより、本実施の形態にかかるカメラシステム１は、電力供給再開後、ヒステリシスについても電力供給停止前と同一の状態へと戻すことができる。
【００６８】
また、本実施の形態にかかるカメラシステム１において、カメラボディ１００は、電源１６０による電力の供給の後に、ＤＲＡＭ１４１又はメモリーカード１７１に記憶されている状態情報を交換レンズ２００に通知するボディマウント１５０をさらに備え、レンズコントローラー２４０は、ボディマウント１５０から状態情報を取得するのに応じて、ズームレンズ２１０又は／及びフォーカスレンズ２３０を駆動させるよう駆動機構２１１又は／及びフォーカスモータ２３３を制御する。
【００６９】
これにより、本実施の形態にかかるカメラシステム１は、電力の供給が再開された際に、電力の供給が停止される前の状態に交換レンズを戻すことができる。
【００７０】
また、本実施の形態にかかるカメラシステム１において、カメラボディ１００は、装着されている交換レンズ２００がＤＲＡＭ１４１又はメモリーカード１７１に記憶されている状態情報を取得した際に装着されていた交換レンズ２００と同一であるか否かを判定するカメラコントローラー１４０をさらに備え、ボディマウント１５０は、カメラコントローラー１４０による判定結果に応じて、状態情報を交換レンズ２００に対して通知するか否かを切り替える。
【００７１】
これにより、本実施の形態にかかるカメラシステム１は、電力供給の停止前に装着されていた交換レンズと異なる交換レンズが装着されている場合には、交換レンズ内の各種レンズを自動的に移動させることはない。その結果、本発明にかかるカメラシステムは、交換レンズごとに交換レンズ内の各種状態を管理することができる。
〔２．他の実施の形態〕
以上により、本発明の実施の形態として、実施の形態１を説明した。しかし、本発明は、これらには限定されない。そこで、本発明の他の実施の形態を本欄にまとめて説明する。
【００７２】
本発明の実施の形態１では、パワーセーブモード移行前に装着されていた交換レンズと同一の交換レンズが装着されている場合のみ、交換レンズ内の各種状態をパワーセーブモード移行前と同一の状態に戻す構成とした。しかし、必ずしもこのような構成に限られない。例えば、パワーセーブモード移行前と異なる交換レンズが装着されている場合であっても、パワーセーブモード移行前と同一の状態に戻す構成としてもよい。
【００７３】
また、本発明の実施の形態１では、パワーセーブモード移行前に装着されていた交換レンズと同一の交換レンズが装着されている場合には、交換レンズ内の各種状態をパワーセーブモード移行前と同一の状態に戻す構成とした。しかし、必ずしもこのような構成に限られない。例えば、同一の交換レンズが装着されている場合であっても、パワーセーブモード移行前と同一の状態に戻さないモードを使用者が設定可能で、そのモードが設定されている場合には、パワーセーブモード移行前と同一の状態に戻さない構成としてもよい。
【００７４】
また、本発明の実施の形態１では、通常モードからパワーセーブモードに移行した場合に各種レンズの状態情報をレンズコントローラー２４０からカメラコントローラー１４０へと通知する構成とした。しかし、必ずしもこのような構成には限定されない。例えば、カメラシステム１が通常モードで動際している状態から、電源ＯＦＦの状態へ移行する場合にもレンズコントローラー２４０からカメラコントローラー１４０へ各種レンズの情報を通知する構成としてもよい。これにより、電源をＯＦＦにした後に再度電源をＯＮにした場合においてもフォーカスレンズ２３０の状態を電源ＯＦＦ前の状態に戻すことができる。
【００７５】
また、本発明の実施の形態１では、カメラシステム１が一定時間以上の間、使用者によって操作されない場合に通常モードからパワーセーブモードへと移行する構成とした。しかし、必ずしもこのような構成に限られない。例えば、使用者がカメラシステム１をパワーセーブモードに設定できる構成としてもよい。
【００７６】
また、本発明の実施の形態１では、交換レンズ２００は、フラッシュメモリ２４２を備える構成とした。しかし、必ずしもこのような構成である必要はない。フラッシュメモリ２４２ではなく、書き込みが不可能なＲＯＭで構成してもよい。
【００７７】
また、本発明の実施の形態１では、ズームレンズ２１０及びＯＩＳレンズ２２０を有する構成を例示したが、これらは、本発明に必須の構成ではない。すなわち、ズーム機能を有することのない単焦点レンズを装着したカメラシステムにも本発明は適用可能であるし、手振れ補正機能を有することのない交換レンズを装着したカメラシステムにも本発明は適用可能である。
【００７８】
また、本発明の実施の形態１では、可動ミラーを備えないカメラボディを例示したが、本発明はこれには限定されない。例えば、カメラボディ内に可動ミラーを備えてもよいし、被写体像を分けるためのプリズムを備えてもよい。また、カメラボディ内ではなく、アダプター内に可動ミラーを備える構成でもよい。
【００７９】
また、本発明の実施の形態１では、撮像素子として、ＣＣＤイメージセンサー１１０を例示したが、本発明はこれに限定されない。例えば、ＣＭＯＳイメージセンサーで構成してもよく、ＮＭＯＳイメージセンサーで構成してもよい。
【産業上の利用可能性】
【００８０】
本発明は、レンズ交換式のカメラシステムに適用できる。具体的には、デジタルスチルカメラやムービーなどに適用可能である。
【図面の簡単な説明】
【００８１】
【図１】実施の形態１にかかるカメラシステムのブロック図
【図２】通常モードからパワーセーブモードへの移行を説明するためのフローチャート
【図３】パワーセーブモードから通常モードへの移行を説明するためのフローチャート
【図４】フォーカスレンズとズームレンズとの関係情報の模式図
【符号の説明】
【００８２】
１００    カメラボディ
１１０    ＣＣＤイメージセンサー
１１１    ＡＤコンバーター
１１２    タイミング発生器
１２０    液晶モニタ
１３０    レリーズ釦
１４０    カメラコントローラー
１４１    ＤＲＡＭ
１４２    フラッすメモリ
１５０    ボディマウント
１６０    電源
１７０    カードスロット
１７１    メモリーカード
２００    交換レンズ
２１０    ズームレンズ
２１１    駆動機構
２１２    検出器
２２０    ＯＩＳレンズ
２２１    アクチュエータ
２２２    位置検出センサー
２２３    ＯＩＳ用ＩＣ
２３０    フォーカスレンズ
２３３    フォーカスモータ
２４０    レンズコントローラー
２４１    ＳＲＡＭ
２４２    フラッシュメモリ
２４３    カウンタ
２５０    レンズマウント
２６０    絞り
２６１    絞りモータ
【図１】
2011149971.tif 000003
【図２】
2011149971.tif 000004
【図３】
2011149971.tif 000005
【図４】
2011149971.tif 000006